(57)【要約】本発明は、股関節の人工器官の全体的な修復の場合における、股関節の再建という外科的治療のためのモジュール式の人工寛骨臼と、前記寛骨臼のような人工インプラントの固定用の定着ネジに関する。人工寛骨臼は、一方では、寛骨臼の空洞の中に配置され、定着ネジ（４）を用いて定着させるようになっている支持基底材（１）を備え、該定着ネジは、前記支持基底材（１）の深部での位置決めの調節とロックとを確実に行える手段（４８）を有するものであり、他方では、円錐同士（１６，２１）が噛み合うタイプの組み立て方式によって、その支持基底材の上でロックされる可変方向スペーサー（２）を備え、さらにもう一方では、前記スペーサー（２）に、円錐同士（２４，３３）が噛み合うタイプの組み立て方式によって組み立てられるようになっている、金属製の碗状部（３）を備えている。
2004537371.tif 000002
【特許請求の範囲】
【請求項１】
股関節の人工器官の全体的な修復の場合における、股関節の再建という外科的治療のためのモジュール式の人工寛骨臼であり、その特徴は、該人工寛骨臼が、一方では、寛骨臼の空洞の中に配置され、定着ネジ（４）を用いて定着されるようになっている支持基底材（１）を備え、該定着ネジは、前記支持基底材（１）の深部での位置決めの調節とロックとを確実に行える手段（４４、４５、４８）を有し、他方では、円錐同士（１６、２１）が噛み合うタイプの組み立て方式によって、その支持基底材の上でロックされる可変方向スペーサー（２）を備え、さらにもう一方では、前記スペーサー（２）に、円錐同士（２４、３３）が噛み合うタイプの組み立て方式によって組み合わせるようになっている、金属製の碗状部（３）を備えていることを特徴とする人工寛骨臼。
【請求項２】
支持基底材（１）が、前記支持基底材（１）を定着ネジ（４）で寛骨臼の内部に定着させることを可能にするはとめ（１２）を備えた、少なくとも一つの寛骨臼内部の支持脚（１１）を含むことを特徴とする、請求項１に記載のモジュール式の人工寛骨臼。
【請求項３】
支持基底材（１）が、海綿タイプまたは皮質タイプの固定用ネジを受け入れるためのはとめ（１４）を備えた、少なくとも一つの寛骨臼上部の外脚（１３）、並びに、寛骨臼の下部の取り付けを確実にするのに適した閉塞フック（１５）を備えることを特徴とする、請求項１または請求項２に記載のモジュール式の人工寛骨臼。
【請求項４】
脚（１１、１３）が、脚が有するはとめ（１２、１４）のそれぞれのところに窪んだ外形を呈し、該外形が、前記はとめ（１２、１４）の中に挿入されるようになっていて、頭部が半球の外形の支持表面を呈するネジ（４）と協働し、いくつもの軸に沿った前記ネジ（４）の方向づけを可能にするのに適していることを特徴とする、請求項２または請求項３に記載のモジュール式の人工寛骨臼。
【請求項５】
チタンおよびハイドロキシアパタイトの二層の骨伝導コーティングを備えることを特徴とする、請求項１から請求項４のいずれか一つに記載のモジュール式の人工寛骨臼。
【請求項６】
スペーサー（２）が楔形の形状を呈し、一方では、そのスペーサーの基底部に位置し、支持基底材（１）が備える雌の円錐（１６）の上でロックされるようになる雄の円錐（２１）を備え、他方では、そのスペーサーの上部に位置し、碗状部（３）が備える雄の円錐（３３）を受け入れられるようにする雌の円錐（２４）を備えており、このことにより、前記支持基底材（１）の位置に係わらず、必要に応じて、その碗状部の方向づけが可能となることを特徴とする、請求項１から請求項５のいずれか一つに記載のモジュール式の人工寛骨臼。
【請求項７】
スペーサー（２）は、その外部で、もっとも広い部分の中心に、そしてその周囲の半分を越える部分に、ロック用の鍔（２２）を備えており、該鍔はさまざまなところにはとめ（２３）を含み、該はとめによって、支持基底材（１）が備える周辺肩状部（１７）の中に施されたネジ立てされた穴（１８）の中で締められるようになっているネジ（５）の通過が可能になり、前記鍔（２２）が、前記はとめ（２３）のそれぞれのところで窪んだ外形を呈し、該外形は、頭部が半球の外形の支持表面を呈する前記ネジ（５）と協働し、いくつもの軸に沿った前記ネジ（５）の方向づけを可能にするのに適していることを特徴とする、請求項６に記載のモジュール式の人工寛骨臼。
【請求項８】
碗状部（３）は、その外側の赤道区域の上に、その周囲の半分を越える部分に、そしてその雄の円錐の上に、支持基底材（１）と、スペーサー（２）と、碗状部（３）との補助ロックを可能にするのに適した鍔（３４）が備えられ、そのために、前記鍔（３４）が、さまざまなところにはとめ（３５）を備え、該はとめにより、支持基底材（１）が備える周辺肩状部（１７）の中に施されたネジ立てされた穴（１８）の中で締められるようになっているネジ（５）の通過が可能になり、前記鍔（３４）は、前記はとめ（３５）のそれぞれのところで窪んだ外形を呈し、該外形が、頭部が半球の外形の支持表面を呈する前記ネジ（５）と協働し、いくつもの軸に沿った前記ネジ（５）の方向づけを可能にするのに適していることを特徴とする、請求項６に記載のモジュール式の人工寛骨臼。
【請求項９】
碗状部（３）は、鏡面タイプの、一方を完全に塞いだ内側の部分（３１）を有し、該部分により、そこに受け入れるポリマーの挿入物（６）の自由な移動が可能になり、該挿入物（６）は、人工の大腿骨要素の球形の頭部を受け入れるための半球形の窪み（６０）を有することを特徴とする、請求項１から請求項８のいずれか一つに記載のモジュール式の人工寛骨臼。
【請求項１０】
碗状部（３）が、一方が完全に塞がれた内側の部分を有し、該部分は雌形で、雄の円錐の外形を呈するセラミックの挿入物を受け入れるようになっていることで、円錐同士が噛み合うタイプの組み立てを行うようになっており、前記挿入物が、人工の大腿骨要素の球形の頭部を受け入れるための半球形の窪みを備えることを特徴とする、請求項１から請求項８のいずれか一つに記載のモジュール式の人工寛骨臼。
【請求項１１】
請求項１から請求項１０のいずれか一つに記載のモジュール式人の工寛骨臼のような、人工インプラントの固定用の定着ネジ（４）であって、該ネジが、前記インプラントの支持表面の高さの微調整と、圧力の均一な調節を確実に行いつつ、そのインプラントを骨組織の中に定着させることを確実にするのに適した手段（４４、４５、４８）を備えることを特徴とする定着ネジ。
【請求項１２】
円筒形の近位部分（４３）を備えた本体を備え、該近位部分は遠位部分（４０）から伸び、尖端となって終わっており、また、それ自体がネジ立てする、海綿タイプのネジ山（４２）を有し、前記近位部分は、ネジ山を切られたピストン（４５）を受け入れるための軸方向にネジ立てされた導管（４４）を穿たれ、該ピストン自体も頭部（４６）を備え、ロック用の逆ネジ（４８）を受け入れるためのネジ立てされた竪坑（４７）が穿たれていることを特徴とする、請求項１１に記載のネジ。
【請求項１３】
逆ネジ（４８）が頭部を備え、該頭部の支持表面は半球形タイプの湾曲した外形を呈し、前記逆ネジ（４８）を受け入れるためのはとめ（２３、３５、１２、１４）のところで、相補的な外形を呈する固定すべき要素（２２、３４、１１、１３）と協働するようになっていることで、所望の軸に沿って、前記要素（２２、３４、１１、１３）に対する、前記ネジ（４８）の方向づけが可能になるようになっていることを特徴とする、請求項１２に記載のネジ。
【発明の詳細な説明】
【技術分野】
【０００１】
本発明は、骨基質の欠損を伴うか、伴わないかに係わらず、人工股関節の全体的な修復の場合、また一方では、異形成の場合における、股関節の再建という外科的治療のためのモジュール式の人工寛骨臼、並びに、前記寛骨臼のような人工インプラントを固定するための定着ネジ装置に関するものである。
【背景技術】
【０００２】
本発明が対象とする寛骨臼の目的は、そのモジュール性によって、インプラントの固定と方向づけという基本的な要素を個別に扱うことで、生物力学的基準のすべてを、関節に回復させることからなる。
【０００３】
この原則により、遭遇する各状況での必要性に応え、そこでの要求に適応できるようになり、したがって、早期の患者のケアができるようになる。
【発明の開示】
【発明が解決しようとする課題】
【０００４】
現行の寛骨臼再建の外科治療技術では、既存の人工器官装置を骨内に定着させる点でも、それらの装置の生物力学的な位置決めの点でも不十分であることが明らかになっている。
【０００５】
事実、第一次の固定に限られた定着では、時の経過と共に、そこに加わる圧力と捩じれの力とに対して、そのインプラントの組み込み上、有害な影響を受けることがあり、それが、設置した機材の脱落および／または破損を引き起こす可能性もある。
【０００６】
そのインプラントの位置決めとしては、治療すべき骨の寛骨臼の状態次第になることが多く、関節に正常な生物力学性を回復させることができるような、全平面での自由な方向づけはできず、このことは関節の安定性に損害をもたらしかねず、該損害はインプラントの脱臼および／または脱落をしばしば引き起こす。
【課題を解決するための手段】
【０００７】
本発明の対象であるモジュール式の人工寛骨臼により、股関節の再建という外科的治療に、その力学的、解剖学的そして生物学的要求を考慮しつつ、総合的に対応することで、これらの不都合を補うことが可能になる。
【０００８】
本発明の対象であるモジュール式の人工寛骨臼の本質的な特徴は、一方では、寛骨臼の空洞の中に配置され、定着ネジを用いて定着されるようになっている支持基底材を備え、該定着ネジは、前記支持基底材の深部での位置決めの調節とロックとを確実に行える手段を有し、他方では、円錐同士が噛み合うタイプの組み立て方式によって、その支持基底材の上でロックされる可変方向スペーサーを備え、さらにもう一方では、前記スペーサーに、円錐同士が噛み合うタイプの組み立て方式によって組み合わせるようになっている、金属製の碗状部を備えることである。
【発明の効果】
【０００９】
この人工寛骨臼により、一方で、特に定着ネジの特徴により、第一次および第二次の固定と、他方で、大幅なモジュール性により、インプラントの解剖学的な方向付けとを個別に扱うことが可能になり、該方向づけの安定性は、その人工寛骨臼の各構成要素の円錐同士が噛み合うタイプの組み立て方式によって信頼のおけるものになる。
【００１０】
事実、この人工寛骨臼の第一次の固定は、定着ネジを介して、支持基底材によって確実化されるが、該定着ネジによって、方向付けの応力なしに、使用可能な支えを全て用いながら、正常な骨の区域での定着が可能になるのである。
【００１１】
本発明の人工寛骨臼のさらなるもう一つの特徴によると、その支持基底材は、前記支持基底材を定着ネジで寛骨臼の内部に定着させることを可能にするはとめを備えた、少なくとも一つの寛骨臼内部の支持脚を含んでいる。
【００１２】
本発明の人工寛骨臼のさらなるもう一つの特徴によると、その支持基底材は、海綿タイプまたは皮質タイプの固定用ネジを受け入れるためのはとめを備えた、少なくとも一つの寛骨臼上部の外脚、並びに、寛骨臼の下部の取り付けを確実にするのに適した閉塞フックを備える。
【００１３】
周辺部では寛骨臼上部の脚と閉塞フックにより、そして内部では寛骨臼の脚により、その支持基底材の定着と支えの箇所が複数あることによって、前記支持基底材、したがってインプラントの最大限の安定性を達成できるようになる。
【００１４】
骨の重い損傷の場合、寛骨臼上部の固定用の脚を、寛骨臼の脚の固定に使うのと同じ定着ネジを使って固定することもできることに留意すべきだろう。
【００１５】
定着ネジと支持基底材とのこの結合は、本物の骨接合に相当し、第一の力学的な安定性は、再建の永続性において依然として不可欠な要素であり、そして、それにより患者の早期のケアが可能になる。
【００１６】
本発明の人工寛骨臼のさらなるもう一つの特徴によると、該人工寛骨臼は、チタンおよびハイドロキシアパタイトの二層の骨伝導コーティングを備えている。
【００１７】
この人工寛骨臼の第二の固定は、一方では、破壊された骨の保有量の再建に寄与する、寛骨臼の空洞を、移植片および／または骨の代替物で充填することによって、そして他方では、二重の骨伝導コーティングによって最適化され、該二重の骨伝導コーティングは、支持基底材の一つまたは複数の寛骨臼の脚の後部、並びに、金属製の碗状部の後部に主として適用可能で、該碗状部は前記支持基底材の中にスペーサーを介して収納されるようになっている。
【００１８】
本発明の人工寛骨臼のさらなるもう一つの他の特徴によると、スペーサーは、一方では、スペーサーの基底部に位置し、支持基底材が備える雌の円錐の上でロックされるようになる雄の円錐を備え、他方では、そのスペーサーの上部に位置し、碗状部が備える雄の円錐を受け入れられるようにする雌の円錐を備えており、このことにより、前記支持基底材の位置に係わらず、必要に応じて、碗状部の方向づけが可能になる。
【００１９】
このように、スペーサーがあらゆる平面で方向づけできるようになっていることで、支持基底材と碗状部との間のインターフェイスの役割を果たすようになり、前記碗状部の内部で解剖学的な垂直方向の支点を再び心だしし、したがって支持表面の密着度とサイズとを増大させられるようになっている。
【００２０】
骨寛骨臼の中での支持基底材の固定とは無関係に、人工寛骨臼の解剖学的な方向づけの調節は、垂直平面上で前後に１８０°の方向付けが可能な金属製の碗状部と、支持基底材と金属製の碗状部との間に介在する、垂直平面と水平平面で方向付けが可能なスペーサーとによって確実にされる。
【００２１】
これら二つの要素により、関節の解剖学的な軸の非常に微細な調節が可能になる。
【００２２】
本発明による人工寛骨臼を構成する様々な要素の、噛み合わせる円錐タイプの組み立てにより、全体のロックが確実になり、長期的安定性が信頼できるものになる。
【００２３】
本発明の人工寛骨臼のさらなるもう一つの特徴によると、スペーサーは、その外部で、もっとも広い部分の中心に、そしてその周囲の半分を越える部分に、ロック用の鍔を備えており、該鍔はさまざまなところにはとめを含み、該はとめによって、支持基底材が備える周辺肩状部の中に施されたネジ立てされた穴の中で締められるようになっているネジの通過が可能になり、前記鍔は、前記はとめのそれぞれのところで窪んだ外形を呈し、該外形は、頭部が半球の外形の支持表面を呈する前記ネジと協働し、いくつもの軸に沿った前記ネジの方向づけを可能にするのに適している。
【００２４】
一つの変形例によると、碗状部は、その外側の赤道区域の上に、その周囲の半分を越える部分に、そしてその雄の円錐の上に、支持基底材と、スペーサーと、碗状部との補助ロックを可能にするのに適した鍔が備えられ、そのために、前記鍔は、さまざまなところにはとめを備え、該はとめにより、支持基底材が備える周辺肩状部の中に施されたネジ立てされた穴の中で締められるようになっているネジの通過が可能になり、前記鍔は、前記はとめのそれぞれのところで窪んだ外形を呈し、該外形は、頭部が半球の外形の支持表面を呈する前記ネジと協働し、いくつもの軸に沿った前記ネジの方向づけを可能にするのに適している。
【００２５】
本発明の人工寛骨臼の第一の特徴的な実施態様によると、碗状部は、鏡面タイプの、一方を完全に塞いだ内側の部分を有し、該部分により、そこに受け入れるポリマー挿入物の自由な移動が可能になり、該挿入物は、人工の大腿骨要素の球形の頭部を受け入れるための半球形の窪みを有する。
【００２６】
この構成は、関節の運動の振幅に有利に働く。
【００２７】
本発明の人工寛骨臼の第二の特徴的な実施態様によると、碗状部が、一方が完全に塞がれた内側の部分を有し、該部分が雌形で、雄の円錐の外形を呈するセラミックの挿入物を受け入れるようになっていることで、円錐同士が噛み合うタイプの組み立てを行うようになっており、前記挿入物が、人工の大腿骨要素の球形の頭部を受け入れるための半球形の窪みを備えている。
【００２８】
挿入物が碗状部に対して固定されるというこの構成は、例えば若いかつ／または非常に活動的な患者に対する特定の処方に応えるものである。
【００２９】
本発明の対象である人工股関節の、これらの様々な特徴によって、正常な生物力学性が保証され、新しい人工器官の永続性が確保され、そして患者のためのより早期のリハビリテーションと活動的な生活への復帰が可能になる。
【００３０】
本発明はまた、前述の人工股関節のような人工インプラントの固定用の定着ネジも対象としており、該ネジは、前記インプラントの支持表面の高さの微調整と、圧力の均一な調節を確実に行いつつ、そのインプラントを骨組織の中に定着させることを確実に行えるようにするのに適した手段を備えることを、本質的な特徴とする。
【００３１】
本発明のネジのさらなるもう一つの特徴によると、該ネジは、円筒形の近位部分を備えた本体を備え、該近位部分は遠位部分から伸び、尖端となって終わっており、また、それ自体がネジ立てする、海綿タイプのネジ山を有し、前記近位部分は、ネジ山を切られたピストンを受け入れるための軸方向にネジ立てされた導管を穿たれており、該ピストン自体も頭部を備え、ロック用の逆ネジを受け入れるためのネジ立てされた竪坑が穿たれている。
【００３２】
機械的なジャッキの仕方で、ネジ山を切られたピストンにより、ネジ立てされた導管の中での埋め込みの深さに従って、人工インプラントの支持表面の高さを調節できるようになる一方で、逆ネジが前記インプラントの締めつけを確実にする。
【発明を実施するための最良の形態】
【００３３】
本発明による装置の特徴と利点は、限定的なものでない幾つかの実施態様を示す添付図面を参照しつつ、以下の説明を読むことでさらに明らかになる。
【００３４】
添付図面において、
図１は、本発明による人工股関節の部分的な分解組み立ての概略図を表す。
図２は、同じ人工股関節の一つの変形例の、部分的な正中断面の概略図である。
図３は、図２の股関節の一部の、一つの変形例の斜視図を表す。
図４は、同じ股関節の他の部分の、一つの変形例の斜視図を表す。
図５は、同じ股関節の他の部分の、一つの変形例の斜視図を表す。
図６は、本発明による定着ネジの、縦断面に沿った、分解組み立ての部分的な断面の概略図を表す。
【００３５】
図１を参照すると、本発明による人工股関節が理解される。該人工股関節は、支持基底材１を備え、該支持基底材は寛骨臼の空洞の中に埋め込まれ、スペーサー２を介して取り付けられた碗状部３を受け入れるようになっている。
【００３６】
支持基底材１は、好ましくは、チタンとハイドロキシアパタイトの微細多孔質の二層コーティングが施された、または施されていない、ステンレス・スチールかクロム・コバルト製であって、人工股関節の台座を構成する。
【００３７】
該支持基底材により、股関節の解剖学的および力学的な要求に応えられるようになる。
【００３８】
該支持基底材は、本質的にはスペーサー２と碗状部３とを部分的に収納するための支えリング１０の形をしており、該リングは、円形のはとめ１２が穿たれた内脚１１を備え、該はとめにより、後述する定着ネジ４の通過が可能になる。内脚１１は複数のはとめ１２を含んでもよく、該はとめもまた、横長の形を呈してもよいことに留意すべきだろう。
【００３９】
支持基底材１はまた、既に知られているように、寛骨臼上部の二本の外脚１３を備え、該外脚の中に、三角形の腸骨の上に固定するための、図示されていないネジを通すためのはとめ１４、並びに、座骨恥骨の切れ込みの中での外側の支えを可能にするフック１５が施されている。
【００４０】
スペーサー２は、リング２０の形をしており、該リングが、円錐の外形をした遠位区域２１を外側に含むことで、相補的な外形をした近位区域１６を内側に有する支えのリング１０と、円錐部が噛み合うタイプの組み立てができるようになっている。該スペーサーはさらに、外側のほぼ正中区域内に外環鍔２２を備え、該鍔は複数のはとめ２３が穿たれて、支持基底材１がその開口部の縁に備える鍔１７と連結するようになっており、該鍔は、ネジ立てされた穴１８が穿たれており、該穴がはとめ２３と向きあってネジ５を受け入れるようになっていることで、一方では、一つの方向を選んだ後、支持基底材１の上でスペーサー２の回転を動かなくし、他方では、この組み立てがロックされるようにしている。
【００４１】
スペーサー２は全体的に楔形の形状である。つまり、支持基底材１および碗状部３のそれぞれとの接合面が収束するということにより、それらの特徴を選択することで、角度の方向づけが可能になり、該方向づけにより、碗状部３の内部での解剖学的な垂直方向の支点を再び心だしし、その結果、支持表面の密着度とサイズを高められるようになる。
【００４２】
碗状部３は、庇形の薄い縁３０のついた、全体的に半球の形状であり、該碗状部は、図１には示されていないが図２では見えるようになっている、挿入物６を受け入れるための半球形の空洞３１を備え、該挿入物自体も、人工大腿部の要素の球形の頭部を受け入れるための、半球形の空洞６０を備える。
【００４３】
碗状部３の組み立ては、円錐同士が噛み合うタイプの方式によって行われ、したがって、スペーサー２が内部の円錐形区域２４を含む一方で、碗状部３は外部の円錐形区域３３を備える。また、碗状部３は、外部に赤道の薄い縁３２を備え、該縁は引き抜くための、円錐の噛み合わせのロックを解除する要素を構成する。
【００４４】
本発明による人工股関節は、したがって、図２や３、４そして５に見られるように、いくつかの変形例があってよく、もう一つの考えられる本発明による人工股関節は、同様に支持基底材１、スペーサー２そして碗状部３の組み立てで構成され、ここでは、これら様々な要素がそれぞれ異なった構造を呈する。
【００４５】
図２および３では、したがって、支持基底材１が他の形状の内脚１１、特により長い内脚を有することが確認できる。
【００４６】
図２および４では、鍔を備えていないスペーサー２が理解される。
【００４７】
そして図２および５では、多数のはとめ３５が穿たれた鍔３４を外側に備える碗状部３が理解される。
【００４８】
さて、ここで図６を見ると、骨の空洞内での支持基底材１の位置づけの調節を可能にする定着ネジ４が理解される。
【００４９】
この定着ネジ４は、好ましくは設置しやすいように溝が掘られており、先端４１と海綿タイプのネジ山４２とを有する、ネジ山を切られた遠位部分４０と、ネジ立てされた導管４４が軸方向に穿たれた円筒形を呈する近位部分４３とを備え、該導管４４においてネジ山を切られたピストン４５がネジ留めされ、該ピストン自体も頭部４６を備え、ロック用の逆ネジ４８を受け入れるためのネジ立てされた竪坑４７が穿たれている。
【００５０】
ネジ山を切られたピストン４５により、ネジ立てされた導管４４の中での打ち込みの深さにしたがって、支持基底材１の支持表面の高さを調節することができる一方で、逆ネジ４８が前記支持基底材１の維持を確実にする。
【００５１】
好ましくは、さまざまなネジ山は逆のピッチであることに留意すべきだろう。
【００５２】
骨の材質の中に遠位部分を定着させた後、ピストン４５のネジを締めることまたは緩めることによって、頭部４６の高さを調節でき、該頭部は、支持基底材１の支え、より正確には、寛骨臼の脚１１の支えの役を果たすことを目的としている。導管４４の中にピストン４５を打ち込む適切な長さの決定後、支持基底材１は、竪坑４７の中で締められたロック用の逆ネジ４８を用いて一体化させられる。
【００５３】
言うまでもなく、近位部分４３、ピストン４７、そして逆ネジ４８はそれぞれ、軸方向に窪んだタイプの刻印である、取り扱い用の刻印が備えられている。
【００５４】
念のため申し添えると、ネジ５、ロック用逆ネジ４８、並びに、図示されていない、寛骨臼の上部外脚１３を固定するネジは頭部を有し、該頭部の支持表面は半球形タイプの、湾曲した外形を呈し、一方、それぞれ２２、３４、１１および１３である要素は、中にそれぞれ２３、３５、１２および１４であるはとめが作られ、これらのはとめのところに、相補的な外形のフライス加工を呈し、該外形は、所望の軸に沿って、要素２２、３４、１１及び１３に対するそれらのネジの方向づけを可能にするのに適している。
【００５５】
他方、有利には、確実な定着を保証するために、近位部分４３の基底部、つまり遠位部分４０との接合区域が円錐台状で、ネジ山４２がそこで広がっているということに注目すべきだろう。
【００５６】
本発明によるモジュール式の人工寛骨臼は特に、股関節の人工器官の全体的な修復の場合、特に骨の重い損傷の時、他方では異形成の場合おける、股関節の再建という外科的治療を目的としている。
【００５７】
定着ネジ４の用途は、本発明によるモジュール式の人工寛骨臼の固定に限定されておらず、整形外科における別の応用を見出すこともできることに注目すべきだろう。
【図面の簡単な説明】
【００５８】
【図１】本発明による人工股関節の部分的な分解組み立ての概略図を表す。
【図２】同じ人工股関節の一つの変形例の、部分的な正中断面の概略図を表す。
【図３】図２の股関節の一部の、一つの変形例の斜視図を表す。
【図４】同じ股関節の他の部分の、一つの変形例の斜視図を表す。
【図５】同じ股関節の他の部分の、一つの変形例の斜視図を表す。
【図６】本発明による定着ネジの、縦断面に沿った、分解組み立ての部分的な断面の概略図である。
【符号の説明】
【００５９】
１    支持基底材
２    スペーサー
３    碗状部
４    定着ネジ
５    ネジ
６    挿入物
１０  支えリング
１１  内脚
１２  はとめ
１３  外脚
１４  はとめ
１５  フック
１６  近位区域
１７  鍔
１８  穴
２０  リング
２１  遠位区域
２２  外環鍔
２３  はとめ
２４  円錐形区域
３０  縁
３１  空洞
３２  縁
３３  円錐形区域
３４  鍔
３５  はとめ
４０  遠位部分
４１  先端
４２  ネジ山
４３  近位部分
４４  導管
４５  ピストン
４６  頭部
４７  竪坑
４８  逆ネジ
６０  空洞
【国際公開パンフレット】
2004537371.tif 000003
2004537371.tif 000004
2004537371.tif 000005
2004537371.tif 000006
2004537371.tif 000007
2004537371.tif 000008
2004537371.tif 000009
2004537371.tif 000010
2004537371.tif 000011
2004537371.tif 000012
2004537371.tif 000013
2004537371.tif 000014
2004537371.tif 000015
2004537371.tif 000016
2004537371.tif 000017
2004537371.tif 000018
2004537371.tif 000019
2004537371.tif 000020
2004537371.tif 000021
【国際公開パンフレット（コレクトバージョン）】
2004537371.tif 000022
2004537371.tif 000023
【国際調査報告】
2004537371.tif 000024
2004537371.tif 000025
2004537371.tif 000026
2004537371.tif 000027
2004537371.tif 000028
2004537371.tif 000029
2004537371.tif 000030
2004537371.tif 000031
2004537371.tif 000032
2004537371.tif 000033